(57)【要約】      （修正有）【課題】画像表示の最中に選択された発光素子の駆動電流を測定して駆動能動素子の特性の不均一に起因する輝度ムラを補正できる画像表示装置及びその駆動方法を提供する。【解決手段】補正値算出手段153は、各データ線について、ある走査線群の最後の走査線において基準値書き込み期間に対応する選択信号が出力されてからある走査線群の最初の走査線においてデータ書き込み期間に対応する選択信号が出力されるまでの期間におけるその対応する電流線23-1~23-mの電流メモリ140に記憶された電流値と、ある走査線群の最初の走査線においてデータ書き込み期間に対応する選択信号が出力されてからある走査線群の次の走査線群の最初の走査線において基準値書き込み期間に対応する選択信号が出力されるまでの期間におけるその対応する電流線の前記電流メモリに記憶された電流値との差分を算出し、この算出した差分に基づいて補正値を算出する。【選択図】図１
2009053382.tif 000002
【特許請求の範囲】
【請求項１】
複数の画素がマトリクス上に配列された画素マトリクスと、
前記画素マトリクスの行及び列の一方（以下、一方のライン）に対応して設けられた複数の走査線と、
前記画素マトリクスの行及び列の他方（以下、他方のライン）に対応して設けられた複数のデータ線と
前記画素に設けられ駆動電流が流れる駆動電流経路と、
前記駆動電流経路上に設けられ、駆動電流に応じた輝度で発光する発光素子と、
前記駆動電流経路上に設けられ、データ信号の値に応じて前記駆動電流を制御する駆動能動素子と、
各前記画素に該各画素に対応する前記走査線に接続されて設けられ、該走査線からの選択信号の入力及び停止に応じて前記駆動能動素子への前記データ信号の伝達経路（以下、データ信号伝達経路）を開放及び遮断するスイッチング素子と、
前記複数の走査線に、順次、データ書き込み期間に渡って前記選択信号を出力する走査線駆動回路と、
前記走査線駆動回路による前記複数の走査線への順次の前記選択信号の出力に合わせて前記複数のデータ線にそれぞれその対応するデータ信号を出力するデータ線駆動回路と、
前記画素マトリクスの他方のラインに対応して設けられ、各他方のラインに属する全ての画素の駆動電流経路に流入する駆動電流又は該各他方のラインに属する全ての画素の駆動電流経路から流出する駆動電流が流れる複数の電流線と、
各前記電流線の電流を測定するための電流測定素子と、
前記電流測定素子で測定された各前記電流線の電流値を記憶する電流メモリと、
前記電流メモリに記憶された電流値を用いて前記データ信号の値の補正値を算出する補正値算出手段と、
前記補正値算出手段で算出された補正値を記憶する補正値メモリと、
外部から入力される画像信号を前記補正値メモリに記憶された補正値を用いて前記複数の走査線に対応する前記データ信号に変換し、これを前記データ線駆動回路に出力する書き込み手段と、を備え、
前記走査線駆動回路は、さらに、１以上の前記走査線からなる走査線群毎に、順次、前記データ書き込み期間より前の基準値書き込み期間に渡って前記選択信号を出力するよう構成されており、
前記書き込み手段は、基準値と前記入力される画像信号の画素の輝度に対応する値とを有する前記データ信号を生成してこれを前記データ線駆動回路に出力するよう構成されており、
前記データ線駆動回路は、前記走査線駆動回路による前記複数の走査線への前記基準値書き込み期間及び前記データ書き込み期間に渡る前記選択信号の出力に合わせて前記複数のデータ線にそれぞれその対応する前記基準値及び前記画像信号の画素の輝度に対応する値を有するデータ信号を出力するよう構成されており、
前記補正値算出手段は、各データ線について、ある前記走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最初の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、この算出した差分に基づいて前記補正値を算出するよう構成されている、画像表示装置。
【請求項２】
前記走査線群を構成する走査線が１である、請求項１に記載の画像表示装置。
【請求項３】
前記走査線群を構成する走査線が２である、請求項１に記載の画像表示装置。
【請求項４】
前記補正値算出手段は、各データ線について、前記ある走査線群の最後の走査線において前記基準値書き込み期間に対応する選択信号が出力されてから前記データ書き込み期間に対応する選択信号が出力されるまでの期間におけるその対応する電流線の前記電流メモリに記憶された電流値と、前記ある走査線群の最後の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、
前記走査線群を構成する各走査線に対応する行の画素における前記画像信号の画素の輝度に対応する値を用いて前記差分を分配することにより、前記走査線群を構成する各走査線に対応する行の画素における前記画像信号の画素の輝度に対応する値に対応する駆動電流と前記基準値に対応する駆動電流との差分を算出するよう構成されている、請求項１に記載の画像表示装置。
【請求項５】
前記走査線駆動回路は、前記前記基準値書き込み期間が垂直同期信号の垂直ブランキング期間に位置するように前記選択信号を出力するよう構成されている、請求項１に記載の画像表示装置。
【請求項６】
前記走査線駆動回路は、前記走査線群毎に、順に１以上のフレーム期間ずつ遅れるようにして、前記基準値書き込み期間に渡って前記選択信号を出力するよう構成されている、請求項１に記載の画像表示装置。
【請求項７】
１つの前記電流測定素子と前記複数の電流線を前記電流測定素子に順次選択的に接続するスイッチ回路とを備え、前記電流メモリは、前記電流測定素子で測定された電流値を前記各電流線と対応させて記憶するよう構成されている、請求項１に記載の画像表示装置。
【請求項８】
複数の画素がマトリクス上に配列された画素マトリクスと、
前記画素マトリクスの行及び列の一方（以下、一方のライン）に対応して設けられた複数の走査線と、
前記画素マトリクスの行及び列の他方（以下、他方のライン）に対応して設けられた複数のデータ線と
前記画素に設けられ駆動電流が流れる駆動電流経路と、
前記駆動電流経路上に設けられ、駆動電流に応じた輝度で発光する発光素子と、
前記駆動電流経路上に設けられ、データ信号の値に応じて前記駆動電流を制御する駆動能動素子と、
各前記画素に該各画素に対応する前記走査線に接続されて設けられ、該走査線からの選択信号の入力及び停止に応じて前記駆動能動素子への前記データ信号の伝達経路（以下、データ信号伝達経路）を開放及び遮断するスイッチング素子と、
前記複数の走査線に、順次、データ書き込み期間に渡って前記選択信号を出力する走査線駆動回路と、
前記走査線駆動回路による前記複数の走査線への順次の前記選択信号の出力に合わせて前記複数のデータ線にそれぞれその対応するデータ信号を出力するデータ線駆動回路と、
前記画素マトリクスの他方のラインに対応して設けられ、各他方のラインに属する全ての画素の駆動電流経路に流入する駆動電流又は該各他方のラインに属する全ての画素の駆動電流経路から流出する駆動電流が流れる複数の電流線と、
各前記電流線の電流を測定するための電流測定素子と、
前記電流測定素子で測定された各前記電流線の電流値を記憶する電流メモリと、
前記電流メモリに記憶された電流値を用いて前記データ信号の値の補正値を算出する補正値算出手段と、
前記補正値算出手段で算出された補正値を記憶する補正値メモリと、
外部から入力される画像信号を前記補正値メモリに記憶された補正値を用いて前記複数の走査線に対応する前記データ信号に変換し、これを前記データ線駆動回路に出力する書き込み手段と、を備えた画像表示装置の駆動方法であって、
前記走査線駆動回路は、さらに、１以上の前記走査線からなる走査線群毎に、順次、前記データ書き込み期間より前の基準値書き込み期間に渡って前記選択信号を出力し、
前記書き込み手段は、基準値と前記入力される画像信号の画素の輝度に対応する値とを有する前記データ信号を生成してこれを前記データ線駆動回路に出力し、
前記データ線駆動回路は、前記走査線駆動回路による前記複数の走査線への前記基準値書き込み期間及び前記データ書き込み期間に渡る前記選択信号の出力に合わせて前記複数のデータ線にそれぞれその対応する前記基準値及び前記画像信号の画素の輝度に対応する値を有するデータ信号を出力し、
前記補正値算出手段は、各データ線について、ある前記走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最初の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、この算出した差分に基づいて前記補正値を算出する、画像表示装置の駆動方法。
【請求項９】
前記走査線群を構成する走査線が１である、請求項８に記載の画像表示装置の駆動方法。
【請求項１０】
前記走査線群を構成する走査線が２である、請求項８に記載の画像表示装置の駆動方法。
【請求項１１】
前記補正値算出手段は、各データ線について、前記ある走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最後の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、
前記走査線群を構成する各走査線に対応する行の画素における前記画像信号の画素の輝度に対応する値を用いて前記差分を分配することにより、前記走査線群を構成する各走査線に対応する行の画素における前記画像信号の画素の輝度に対応する値に対応する駆動電流と前記基準値に対応する駆動電流との差分を算出する、請求項８に記載の画像表示装置の駆動方法。
【請求項１２】
前記走査線駆動回路は、前記前記基準値書き込み期間が垂直同期信号の垂直ブランキング期間に位置するように前記選択信号を出力する、請求項８に記載の画像表示装置の駆動方法。
【請求項１３】
前記走査線駆動回路は、前記走査線群毎に、順に１以上のフレーム期間ずつ遅れるようにして、前記基準値書き込み期間に渡って前記選択信号を出力する、請求項８に記載の画像表示装置の駆動方法。
【請求項１４】
１つの前記電流測定素子と前記複数の電流線を前記電流測定素子に順次選択的に接続するスイッチ回路とを備え、前記電流メモリは、前記電流測定素子で測定された電流値を前記各電流線と対応させて記憶する、請求項８に記載の画像表示装置の駆動方法。
【発明の詳細な説明】
【技術分野】
【０００１】
本発明は画像表示装置及びその駆動方法に関し、特に電流駆動型の発光素子を用いた画像表示装置及びその駆動方法に関する。
【背景技術】
【０００２】
電流駆動型の発光素子を用いた画像表示装置として、有機ＥＬ素子（ＯＬＥＤ：Ｏｒｇａｎｉｃ  Ｌｉｇｈｔ  Ｅｍｉｔｔｉｎｇ  Ｄｉｏｄｅ）を用いた画像表示装置（有機ＥＬディスプレイ）が知られている。この有機ＥＬディスプレイは、視野角特性が良好で、消費電力が少ないという利点を有するため、次世代のＦＰＤ（Ｆｌａｔ  Ｐａｎａｌ  Ｄｉｓｐｌａｙ）候補として注目されている。
【０００３】
有機ＥＬディスプレイでは、通常、画素を構成する有機ＥＬ素子がマトリクス状に配置される。複数の行電極（走査線）と複数の列電極（データ線）との交点に有機ＥＬ素子を設け、選択した行電極と複数の列電極との間にデータ信号に相当する電圧を印加するようにして有機ＥＬ素子を駆動するものをパッシブマトリクス型の有機ＥＬディスプレイと呼ぶ。また、複数の走査線と複数のデータ線との交点に薄膜トランジスタ（ＴＦＴ：Ｔｈｉｎ  Ｆｉｌｍ  Ｔｒａｎｓｉｓｔｏｒ）を設け、このＴＦＴにドライビングトランジスタのゲートを接続し、選択した走査線を通じてこのＴＥＴをオンさせてデータ線からデータ信号をドライビングトランジスタのゲートに入力し、そのドライビングトランジスタによって有機ＥＬ素子を駆動するものをアクティブマトリクス型の有機ＥＬディスプレイと呼ぶ。
【０００４】
各行電極（走査線）を選択している期間のみ、それに接続された有機ＥＬ素子が発光するパッシブマトリクス型の有機ＥＬディスプレイとは異なり、アクティブマトリクス型の有機ＥＬディスプレイでは、次の走査（選択）まで有機ＥＬ素子を発光させることが可能であるため、デューティ比が上がってもディスプレイの輝度減少を招くようなことはない。従って、低電圧で駆動できるので、低消費電力化が可能となる。しかしながら、アクティブマトリクス型の有機ＥＬディスプレイでは、ドライビングトランジスタの特性のばらつきに起因して、同じデータ信号を与えても、各画素において有機ＥＬ素子に流れる電流値が異なり、輝度むらが発生するという欠点があった。
【０００５】
従来の有機ＥＬディスプレイにおける、ドライビングトランジスタの特性のばらつきや劣化（以下、特性の不均一と総称する）による輝度ムラの補償方法としては、複雑な画素回路による補償、代表画素によるフィードバック補償、また、全画素に流れる電流の合計によるフィードバック補償などが代表的である。
【０００６】
しかし、複雑な画素回路は歩留まりを下げてしまう。また、代表画素によるフィードバックや、全画素に流れる電流の合計によるフィードバックでは、画素ごとのドライビングトランジスタの特性の不均一を補償できない。
【０００７】
上記理由により、簡単な画素回路で、画素ごとにドライビングトランジスタの特性の不均一を検出する方法がいくつか提案されている。
【０００８】
例えば、特許文献１に開示された電気光学装置では、１本の走査線に走査電圧を与え、各データ線に所定のデータ電圧を供給し、電気発光素子に流れる電流値を測定するステップと、同一の走査線に再度走査電圧を与え、各データ線に電気発光素子を０階調にするデータ信号を供給するステップとを各走査線に対して行って、得られた電流測定値に基づいて、データ電圧を補正することで、均一な階調表示を実現できる。
【特許文献１】特開２００２−２７８５１３号公報
【発明の開示】
【発明が解決しようとする課題】
【０００９】
ところで、アクティブマトリクス型の有機ＥＬディスプレイでは、画像を表示している状態では、選択されない画素においても有機ＥＬ素子の駆動電流が流れるので、１つのデータ線に接続された全ての画素単位で有機ＥＬ素子の駆動電流を測定すると、何らかの対策を講じない限り、選択された画素の有機ＥＬ素子の駆動電流を測定することができない。特許文献１に開示された電気光学装置も、１つのデータ線に接続された全ての画素単位で電気発光素子（有機ＥＬ素子）の駆動電流を測定するよう構成されているので、同様の問題が生じる。そこで、特許文献１に開示された電気光学装置では、選択された画素においてのみその電気発光素子の駆動電流を流す、換言すれば、選択された画素においてはその電気発光素子の駆動電流を流すが選択されない画素においてはその電気発光素子の駆動電流を流さない、ようにして、１つのデータ線に接続された全ての画素単位で電気発光素子の駆動電流を測定する構成において、選択された画素の電気発光素子の駆動電流を適切に測定している。
【００１０】
しかしながら、特許文献１に開示された電気光学装置では、選択されない画素においてはその電気発光素子の駆動電流を流さないようにすることが必要であるので、データ電圧補正のための電流測定を行う場合には、画像表示を行うことができないという課題を有していた。
【００１１】
本発明は、このような課題を解決するためになされたもので、単純な画素回路を有していて、画像表示の最中に選択された発光素子の駆動電流を測定して駆動能動素子の特性の不均一に起因する輝度ムラを補正できる画像表示装置及びその駆動方法を提供することを目的とする。
【課題を解決するための手段】
【００１２】
前記従来の課題を解決するために、本発明の画像表示装置は、複数の画素がマトリクス上に配列された画素マトリクスと、前記画素マトリクスの行及び列の一方（以下、一方のライン）に対応して設けられた複数の走査線と、前記画素マトリクスの行及び列の他方（以下、他方のライン）に対応して設けられた複数のデータ線と、前記画素に設けられ駆動電流が流れる駆動電流経路と、前記駆動電流経路上に設けられ、駆動電流に応じた輝度で発光する発光素子と、前記駆動電流経路上に設けられ、データ信号の値に応じて前記駆動電流を制御する駆動能動素子と、各前記画素に該各画素に対応する前記走査線に接続されて設けられ、該走査線からの選択信号の入力及び停止に応じて前記駆動能動素子への前記データ信号の伝達経路（以下、データ信号伝達経路）を開放及び遮断するスイッチング素子と、前記複数の走査線に、順次、データ書き込み期間に渡って前記選択信号を出力する走査線駆動回路と、前記走査線駆動回路による前記複数の走査線への順次の前記選択信号の出力に合わせて前記複数のデータ線にそれぞれその対応するデータ信号を出力するデータ線駆動回路と、前記画素マトリクスの他方のラインに対応して設けられ、各他方のラインに属する全ての画素の駆動電流経路に流入する駆動電流又は該各他方のラインに属する全ての画素の駆動電流経路から流出する駆動電流が流れる複数の電流線と、各前記電流線の電流を測定するための電流測定素子と、前記電流測定素子で測定された各前記流線の電流値を記憶する電流メモリと、前記電流メモリに記憶された電流値を用いて前記データ信号の値の補正値を算出する補正値算出手段と、前記補正値算出手段で算出された補正値を記憶する補正値メモリと、外部から入力される画像信号を前記補正値メモリに記憶された補正値を用いて前記複数の走査線に対応する前記データ信号に変換し、これを前記データ線駆動回路に出力する書き込み手段と、を備え、前記走査線駆動回路は、さらに、１以上の隣り合う前記走査線からなる走査線群毎に、順次、前記データ書き込み期間より前の基準値書き込み期間に渡って前記選択信号を出力するよう構成されており、前記書き込み手段は、基準値と前記入力される画像信号の画素の輝度に対応する値とを有する前記データ信号を生成してこれを前記データ線駆動回路に出力するよう構成されており、前記データ線駆動回路は、前記走査線駆動回路による前記複数の走査線への前記基準値書き込み期間及び前記データ書き込み期間に渡る前記選択信号の出力に合わせて前記複数のデータ線にそれぞれその対応する前記基準値及び前記画像信号の画素の輝度に対応する値を有するデータ信号を出力するよう構成されており、前記補正値算出手段は、各データ線について、ある前記走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最初の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、この算出した差分に基づいて前記補正値を算出するよう構成されている。
【００１３】
このような構成とすると、走査線駆動回路が、複数の走査線に、順次、データ書き込み期間に渡って選択信号を出力し、この走査線駆動回路による複数の走査線への順次の前記選択信号の出力に合わせてデータ線駆動回路が複数のデータ線にそれぞれその対応するデータ信号を出力することによって、画像マトリクスに画像信号に応じた画像が表示される。一方、前記走査線駆動回路が、さらに、１以上の走査線からなる走査線群毎に、順次、データ書き込み期間より前の基準値書き込み期間に渡って選択信号を出力し、データ線駆動回路が、この走査線駆動回路による複数の走査線への基準値書き込み期間及びデータ書き込み期間に渡る前記選択信号の出力に合わせて前記複数のデータ線にそれぞれその対応する前記基準値及び前記画像信号の画素の輝度に対応する値を有するデータ信号を出力することによって、各行の画素において、基準値書き込み期間の開始からデータ書き込み期間の開始までの期間に基準値に対応する駆動電流が流れ、データ書き込み期間の開始後は画像信号の画素の輝度に対応する値に対応する駆動電流が流れる。また、補正値算出手段が、各データ線について、ある前記走査線群の最後の走査線において前記基準値書き込み期間に対応する選択信号が出力されてから前記ある走査線群の最後の走査線において前記データ書き込み期間に対応する選択信号が出力されるまでの期間におけるその対応する電流線の前記電流メモリに記憶された電流値と、前記ある走査線群の最初の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出することによって、少なくとも、走査線群に対応する行群の画素毎の前記画像信号の画素の輝度に対応する値に対応する駆動電流と前記基準値に対応する駆動電流との差分が算出される。そして、この差分を、例えば、走査線群を構成する各走査線に対応する行の画素における画像信号の画素の輝度に対応する値を用いて分配することにより、走査線群を構成する各走査線に対応する行の画素における画像信号の画素の輝度に対応する値に対応する駆動電流と基準値に対応する駆動電流との差分を算出することができる。また、この差分は、画素の駆動能動素子の特性を反映している。そして、補正値算出手段がこの差分に基づいて補正値を算出し、書き込み手段が入力される画像信号をこの補正値を用いてデータ信号に変換するので、駆動能動素子の特性の不均一に起因する輝度ムラを補正できる。しかも、画素回路は従来と変わらないのでの単純である。すなわち、このような構成とすると、単純な画素回路を有していて、画像表示の最中に選択された発光素子の駆動電流を測定して駆動能動素子の特性の不均一に起因する輝度ムラを補正することができる。
【００１４】
前記走査線群を構成する走査線が１であってもよい。
【００１５】
前記走査線群を構成する走査線が２であってもよい。
【００１６】
前記補正値算出手段は、各データ線について、前記ある走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最後の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、前記走査線群を構成する各走査線に対応する行の画素における前記画像信号の画素の輝度に対応する値を用いて前記差分を分配することにより、前記走査線群を構成する各走査線に対応する行の画素における前記画像信号の画素の輝度に対応する値に対応する駆動電流と前記基準値に対応する駆動電流との差分を算出するよう構成されていてもよい。
【００１７】
このような構成とすると、走査線群に対応する行群の画素毎の前記画像信号の画素の輝度に対応する値に対応する駆動電流と前記基準値に対応する駆動電流との差分が算出されるが、これを分配して、前記走査線群を構成する各走査線に対応する行の画素における前記画像信号の画素の輝度に対応する値に対応する駆動電流と前記基準値に対応する駆動電流との差分を算出することが的確にできる。
【００１８】
前記走査線駆動回路は、前記前記基準値書き込み期間が垂直同期信号の垂直ブランキング期間に位置するように前記選択信号を出力するよう構成されていてもよい。
【００１９】
前記走査線駆動回路は、前記走査線群毎に、順に１以上のフレーム期間ずつ遅れるようにして、前記基準値書き込み期間に渡って前記選択信号を出力するよう構成されていてもよい。
【００２０】
前記画像表示装置は、１つの前記電流測定素子と前記複数の電流線を前記電流測定素子に順次選択的に接続するスイッチ回路とを備え、前記電流メモリは、前記電流測定素子で測定された電流値を前記各電流線と対応させて記憶するよう構成されていてもよい。
【００２１】
また、本発明の画像表示装置の駆動方法は、複数の画素がマトリクス上に配列された画素マトリクスと、前記画素マトリクスの行及び列の一方（以下、一方のライン）に対応して設けられた複数の走査線と、前記画素マトリクスの行及び列の他方（以下、他方のライン）に対応して設けられた複数のデータ線と、前記画素に設けられ駆動電流が流れる駆動電流経路と、前記駆動電流経路上に設けられ、駆動電流に応じた輝度で発光する発光素子と、前記駆動電流経路上に設けられ、データ信号の値に応じて前記駆動電流を制御する駆動能動素子と、各前記画素に該各画素に対応する前記走査線に接続されて設けられ、該走査線からの選択信号の入力及び停止に応じて前記駆動能動素子への前記データ信号の伝達経路（以下、データ信号伝達経路）を開放及び遮断するスイッチング素子と、前記複数の走査線に、順次、データ書き込み期間に渡って前記選択信号を出力する走査線駆動回路と、前記走査線駆動回路による前記複数の走査線への順次の前記選択信号の出力に合わせて前記複数のデータ線にそれぞれその対応するデータ信号を出力するデータ線駆動回路と、前記画素マトリクスの他方のラインに対応して設けられ、各他方のラインに属する全ての画素の駆動電流経路に流入する駆動電流又は該各他方のラインに属する全ての画素の駆動電流経路から流出する駆動電流が流れる複数の電流線と、各前記電流線の電流を測定するための電流測定素子と、前記電流測定素子で測定された各前記流線の電流値を記憶する電流メモリと、前記電流メモリに記憶された電流値を用いて前記データ信号の値の補正値を算出する補正値算出手段と、前記補正値算出手段で算出された補正値を記憶する補正値メモリと、外部から入力される画像信号を前記補正値メモリに記憶された補正値を用いて前記複数の走査線に対応する前記データ信号に変換し、これを前記データ線駆動回路に出力する書き込み手段と、を備えた画像表示装置の駆動方法であって、前記走査線駆動回路は、さらに、１以上の隣り合う前記走査線からなる走査線群毎に、順次、前記データ書き込み期間より前の基準値書き込み期間に渡って前記選択信号を出力し、前記書き込み手段は、基準値と前記入力される画像信号の画素の輝度に対応する値とを有する前記データ信号を生成してこれを前記データ線駆動回路に出力し、前記データ線駆動回路は、前記走査線駆動回路による前記複数の走査線への前記基準値書き込み期間及び前記データ書き込み期間に渡る前記選択信号の出力に合わせて前記複数のデータ線にそれぞれその対応する前記基準値及び前記画像信号の画素の輝度に対応する値を有するデータ信号を出力し、前記補正値算出手段は、各データ線について、ある前記走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最初の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、この算出した差分に基づいて前記補正値を算出する。
【００２２】
このような構成とすると、上述のように、単純な画素回路を有していて、画像表示の最中に選択された発光素子の駆動電流を測定して駆動能動素子の特性の不均一に起因する輝度ムラを補正することができる。
【００２３】
前記補正値算出手段は、各データ線について、前記ある走査線群の最後の走査線において前記基準値書き込み期間に対応する選択信号が出力されてから前記ある走査線群の最初の走査線において前記データ書き込み期間に対応する選択信号が出力されるまでの期間におけるその対応する電流線の前記電流メモリに記憶された電流値と、前記ある走査線群の最後の走査線において前記データ書き込み期間に対応する選択信号が出力されてから前記ある走査線群の次の走査線群の最初の走査線において基準値書き込み期間に対応する選択信号が出力されるまでの期間における前記その対応する電流線の前記電流メモリに記憶された電流値との差分を算出し、前記走査線群を構成する各走査線に対応する行の画素における前記画像信号の画素の輝度に対応する値を用いて前記差分を分配することにより、前記走査線群を構成する各走査線に対応する行の画素における前記画像信号の画素の輝度に対応する値に対応する駆動電流と前記基準値に対応する駆動電流との差分を算出してもよい。
【００２４】
このような構成とすると、上述のように、前記走査線群を構成する各走査線に対応する行の画素における前記画像信号の画素の輝度に対応する値に対応する駆動電流と前記基準値に対応する駆動電流との差分を算出することが的確にできる。
【００２５】
前記走査線駆動回路は、前記前記基準値書き込み期間が垂直同期信号の垂直ブランキング期間に位置するように前記選択信号を出力してもよい。
【００２６】
前記走査線駆動回路は、前記走査線群毎に、順に１以上のフレーム期間ずつ遅れるようにして、前記基準値書き込み期間に渡って前記選択信号を出力してもよい。
【００２７】
１つの前記電流測定素子と前記複数の電流線を前記電流測定素子に順次選択的に接続するスイッチ回路とを備え、前記電流メモリは、前記電流測定素子で測定された電流値を前記各電流線と対応させて記憶してもよい。
【発明の効果】
【００２８】
本発明は、以上のように構成され、画像表示装置及びその駆動方法において、単純な画素回路を有していて、画像表示の最中に選択された発光素子の駆動電流を測定して駆動能動素子の特性の不均一に起因する輝度ムラを補正できるという効果を奏する。
【発明を実施するための最良の形態】
【００２９】
以下、本発明の好ましい実施形態を図に基づき説明する。なお、以下では、全ての図を通じて同一又は相当する要素には同じ符号を付して、その重複する説明を省略する。
【００３０】
（実施の形態１）
図１は、本発明の実施形態１に係る画像表示装置の電気的な構成を示すブロック図である。図２は図１の画像表示装置の画素回路の構成を示す回路図である。図３は図１の画像表示装置の電流測定素子の構成を示す回路図である。
【００３１】
図１に示すように、画像表示装置１７０は、本実施の形態では、有機ＥＬディスプレイで構成されている。画像表示装置１７０は、表示画面である画素マトリクス１０と、走査線駆動回路１００と、データ線駆動回路１１０と、電流供給電源１２０と、電流引出電源１３０と、電流測定素子２４−１〜２４−ｍと、制御器３０と、を主な構成要素として備えている。
【００３２】
画素マトリクス１０は、ここでは、ｎ行ｍ列のマトリクス状に配列された画素Ｐ１１〜Ｐｎｍで構成されている。ｎ行ｍ列の画素Ｐ１１〜Ｐｎｍは、表示画面の法線方向から見て、互いに直交する、ｎ本の走査線２０−１〜２０−ｎとｍ本のデータ線２１−１〜２１−ｍとで区画された、表示画面上のマトリクス状の領域で構成されている。ｎ本の走査線２０−１〜２０−ｎは、互いに等間隔で画素マトリクス１０の行に沿って延びるように形成されていて、その基端が走査線駆動回路１００に接続され、その先端は開放されている。ｍ本のデータ線２１−１〜２１−ｍは、互いに等間隔で画素マトリクス１０の列に沿って延びるように形成されていて、その基端がデータ線駆動回路１１０に接続され、その先端は開放されている。
【００３３】
電流供給電源１２０は、所定の電位を印加する電圧源で構成されていて、その出力端子に共通電流供給線２２−０が接続されている。そして、共通電流供給線に画素マトリクス１０の列に沿って延びるｍ本の電流供給線（電流線）２２−１〜２２−ｍが接続されている。
【００３４】
電流引出電源１３０は、所定の電位（ここでは電流供給電源が印加する電位より低い電位）を印加する電圧源で構成されていて、その出力端子に共通電流引出線２３−０が接続されている。そして、共通電流引出線に画素マトリクス１０の列に沿って延びるｍ本の電流引出線（電流線）２３−１〜２３−ｍが接続されている。電流引出線２３−１〜２３−ｍは、正確には、後述する電流測定素子２４−１〜２４−ｍを介して共通電流引出線２３−０に接続されている。
【００３５】
次に、画素の構成を説明する。図２に示すように、各画素Ｐ１１〜Ｐｎｍには、発光素子３２３を動作させるための画素回路３００が形成されている。画素回路３００は駆動電流経路３２４を有している。駆動電流経路３２４は、電流供給線２３−１〜２３−ｍと電流引出線２４−１〜２４−ｍとを接続するように形成されている。この駆動電流経路３２４上に電流駆動型の発光素子３２３と駆動能動素子としてのドライビングトランジスタ３２１とが設けられている。発光素子３２３は、ここでは、有機ＥＬ素子で構成されている。もちろん、これ以外の電流駆動型の発光素子で構成してもよい。ドライビングトランジスタ３２１は、ここでは、Ｐチャネル型のＴＦＴで構成されている。ドライビングトランジスタ３２１のソースは電流供給線２３−１〜２３−ｍに接続され、ドライビングトランジスタ３２１のドレインは発光素子３２３のアノードに接続されている。発光素子３２３のカソードは電流引出線２４−１〜２４−ｍに接続されている。ドライビングトランジスタ３２１のソースとゲートとの間にはキャパシタ３２２が接続されている。ドライビングトランジスタ３２１のゲートは、スイッチングトランジスタ３２０を介してデータ線２１−１〜２１−ｍに接続されている。スイッチングトランジスタ３２０は、ここでは、Ｐチャネル型のＴＦＴで構成されている。スイッチングトランジスタ３２０のドレイン（又はソース）はデータ線に接続され、スイッチングトランジスタ３２０のソース（又はドレイン）はドライビングトランジスタ３２１のゲートに接続されている。スイッチングトランジスタ３２０のゲートは走査線２０−１〜２０−ｎに接続されている。これにより、走査線２０−１〜２０−ｎに選択信号（図４の走査信号におけるＬＯＷレベルの部分）が出力されると、スイッチングトランジスタ３２０がオンしてデータ線２１−１〜２１−ｍからデータ信号がドライビングトランジスタ３２１のゲートに入力される。データ信号はここでは電圧信号であり、このデータ信号の値に相当する電圧がドライビングトランジスタ３２１のゲートに印加されるとともにキャパシタ３２２に保持される。これにより、ドライビングトランジスタ３２１が駆動電流経路３２４にデータ信号の値に応じた駆動電流を流し、この駆動電流に応じた輝度で発光素子３２３が発光する。さらに、データ信号の値に相当する電圧がキャパシタ３２２に保持されているので、スイッチングトランジスタ３２０がオフした後も、次のデータ信号がドライビングトランジスタ３２１のゲートに入力されるまで、発光素子３２３は、このデータ信号の値に応じた輝度で発光し続ける。このように、発光素子３２３の駆動方式として、ここでは、電圧駆動方式が採用されているが、電流プログラム方式を採用してもよい。また、画素回路３００は図２の構成に限られず、発光素子の３２３の駆動方式に適した回路であればよい。
【００３６】
図１に示すように、ｍ本の電流引出線２３−１〜２３−ｍの下流端部にはそれぞれの電流を測定する電流測定素子２４−１〜２４−ｍがそれぞれ設けられている。電流測定素子２４−１〜２４−ｍは、図３に示すように、例えば、電流引出線２３−１〜２３−ｍの下流端部に設けられた抵抗Ｒと、この抵抗Ｒの両端の電圧を検出する電圧センサ４０と、電圧センサ４０から出力されるアナログの検出信号をデジタルの検出信号に変換するＡ／Ｄ変換器４１とで構成されている。電圧センサ４０で検出された電圧値は後述する制御器３０の補正値演算部１５３で電流に変換される。なお、本実施の形態では、電流測定素子２４−１〜２４―ｍが、このように電流引出線２３−１〜２３―ｍに設けられているが、電流供給線２２−１〜２２−ｍの上流端部に設けられてもよい。
【００３７】
図１に示すように、電流測定素子２４−１〜２４−ｍで測定された電流値（図３の構成例では電圧値）は電流メモリ１４０に一時的に記憶される。電流メモリ１４０には、電流測定素子２４−１〜２４−ｍ毎に記憶領域が設けられていて、電流測定素子２４−１〜２４−ｍで測定された電流値が各々の記憶領域に記憶される。この電流値は、順次、更新されるようにして記憶される。
【００３８】
制御器３０は、演算部１５０と制御部１５１と補正値メモリ１６０とを備えている。演算部１５０は、書き込み部１５２と補正値演算部１５３とを有している。制御器３０は、例えば、マイコンで構成されていて、その内部メモリに格納された所定のプログラムをＣＰＵが実行することにより、書き込み部１５２の機能と補正値演算部１５３の機能と制御部１５１の機能とが実現される。補正値メモリ１６０は後述する補正値を記憶するためのものであり、例えばマイコンの内部メモリで構成されている。
【００３９】
書き込み部１５２には画像信号が入力される。書き込み部１５２は、入力される画像信号を、データ信号に変換する。このデータ信号は、画像信号における画素の輝度（階調）を、当該輝度で発光素子３２３を発光させるドライビングトランジスタ３２１のゲート電圧に対応したデジタル信号に変換してなる信号である。また、書き込み部１５２は、このデータ信号を、各画素において基準値（ここでは黒の値（輝度０））の表示が挿入されるよう加工する。基準値の表示の挿入の加工は、データ線駆動回路１１０で行ってもよい。補正値演算部１５３は、電流メモリ１４０から入力される電流測定素子２４−１〜２４−ｍの電流測定値を用いて、データ信号の値（発光素子３２３を画像信号における画素の輝度で発光させるドライビングトランジスタ３２１のゲート電圧に対応するデジタル値）の補正値を算出し、これを当該画像信号における画素と対応させて補正値メモリ１６０に記憶する。
【００４０】
そして、書き込み部１５２は、画像信号における画素の輝度をドライビングトランジスタ３２１のゲート電圧に対応するデジタル信号に変換する際に、補正値メモリ１６０に記憶された当該画素に対応する補正値を用いてデータ信号の値を補正する。この補正については後で詳しく説明する。書き込み部１５２は、このようにして生成したデータ信号をデータ線駆動回路１１０に出力する。また、書き込み部１５２は、この生成したデータ信号の値を、順次更新するようにして、所定のメモリ（図示せず）に記憶する。この記憶されたデータ信号の値は、後述するように、補正値演算部１５３による補正値の算出に用いられる。
データ線駆動回路１１０は、入力されたデータ信号を、各データ線２１−１〜２１−ｍに対応する信号に分割するとともにドライビングトランジスタ３２１を駆動するための電圧信号に変換する。そして、このように変換したデータ信号をデータ線２１−１〜２１−ｍに出力する。このデータ線２１−１〜２１−ｍに出力するデータ信号については、この後、詳しく説明する。
【００４１】
制御部１５１は、画像表示装置１７０の全体の動作を制御するもので、例えば、走査線駆動回路１００及びデータ線駆動回路１１０を制御して、走査線駆動回路１００の選択信号の出力に合わせてデータ線駆動回路１１０にデータ信号を出力させる。
【００４２】
なお、補正値メモリ１６０は電流メモリ１４０とともに単一のメモリで構成されてもよい。
【００４３】
次に、本発明を特徴付ける、ドライビングトランジスタ３２１の特性の不均一を補正する構成を図１及び図４を参照して説明する。
【００４４】
図４はデータ信号の補正に用いる電流値の取得タイミングを示すタイミングチャートである。
【００４５】
図４において、横軸は時間ｔを表している。図４の縦方向には、上から順に第１行の走査信号の波形図、第２行の走査信号の波形図、第３行の走査信号の波形図、データ信号の波形図、第１行の画素の発光状態を示す波形図、第２行の画素の発光状態を示す波形図、及び第３行の画素の発光状態を示す波形図が示されている。第１行の走査信号の波形図、第２行の走査信号の波形図、及び第３行の走査信号の波形図において縦軸は信号レベルを表す。なお、以下では、「ある行の走査線の走査信号」を「ある行の走査信号」と略記する。
【００４６】
図４の上段に示すように、走査線駆動回路１００は、第１行の走査線２０−１に対し、以下のような走査信号を出力する。この走査信号は、例えば、１フレーム期間において、時刻ｔ３から時刻ｔ４に渡る通常のデータ書き込み期間Ｄ２と、このデータ書き込み期間Ｄ２より少し前の時刻ｔ１から時刻ｔ２に渡る基準値書き込み期間Ｄ１と、においてＬＯＷレベルとなり、これ以外の期間において、ＨＩＧＨレベルとなる。この走査信号がＬＯＷレベルとなると走査線２０−１にそのゲートが接続されている全てのスイッチングトランジスタ３２０がオンする。これにより、第１行の全ての画素Ｐ１１〜Ｐ１ｍが選択される。そして、この走査信号がＨＩＧＨレベルとなると走査線２０−１にそのゲートが接続されている全てのスイッチングトランジスタ３２０がオフする。これにより、第１行の全ての画素Ｐ１１〜Ｐ１ｍが非選択となる。つまり、走査信号のＬＯＷレベルとなる部分が選択信号を構成し、走査信号のＨＩＧＨレベルとなる部分が非選択信号を構成している。
【００４７】
そして、走査線駆動回路１００は、次の行である第２行の走査線２０−２に対し、第１行の走査信号と同様に基準値書き込み期間Ｄ１（時刻ｔ５から時刻ｔ６に渡る期間）及びデータ書き込み期間Ｄ２（時刻ｔ７から時刻ｔ８に渡る期間）を有し、その基準値書き込み期間Ｄ１の開始時刻ｔ５が第１行の走査信号の基準値書き込み期間Ｄ１の開始時刻ｔ１より所定時間Ｔ０（時刻ｔ１から時刻t５までの時間）だけ遅れた走査信号を出力する。所定時間Ｔ０は、基準値書き込み期間Ｄ１とデータ書き込み期間Ｄ２との合計時間より少し長い時間である。走査線駆動回路１００は、以降の行の走査線に対し、これらの走査信号と同様に基準値書き込み期間Ｄ１及びデータ書き込み期間Ｄ２を有し、その基準値書き込み期間Ｄ１の開始時刻が直前の行の走査信号の基準値書き込み期間Ｄ１の開始より所定時間Ｔ０だけ遅れた走査信号を出力する。つまり、走査線駆動回路１００は、１フレーム期間に、第１行〜第ｎ行の走査線に対し、基準値書き込み期間Ｄ１及びデータ書き込み期間Ｄ２を有し、その基準値書き込み期間Ｄ１の開始時刻が直前の行の走査信号の基準値書き込み期間Ｄ１の開始時刻より所定時間Ｔ０だけ遅れた走査信号を出力する。これにより、１フレーム期間において、１つの走査線が所定時間Ｔ０ずつ遅れて、順次、選択される。従って、画素マトリクス１０では、常に、１つの行の画素のみが選択され、１つの列においては１つの画素のみが選択される。
【００４８】
一方、図４の中段に示すように、データ線駆動回路１１０は、第１行の画素に対し、基準値書き込み期間Ｄ１において基準値（ここでは黒の値（輝度０））ＲＦ１となり、データ書き込み期間Ｄ２において画像信号の画素の輝度に対応する値ＤＴ１となるデータ信号を出力する。なお、このデータ信号は列によって異なることは言うまでもない。その後、データ線駆動回路１１０は、第２行の画素に対し、基準値書き込み期間Ｄ１において基準値ＲＦ２となり、データ書き込み期間Ｄ２において画像信号の画素の輝度に対応する値ＤＴ２となるデータ信号を出力する。以下、同様に、データ線駆動回路１１０は、時間の経過に伴って、順次、選択される行の画素に対し、基準値書き込み期間Ｄ１において基準値となり、データ書き込み期間Ｄ２において画像信号の画素の輝度に対応する値となるデータ信号を出力する。
【００４９】
これにより、１フレーム期間において、順次、１つの行の画素のみが選択される。この選択された行の画素において、まず基準値書き込み期間Ｄ１に基準値のデータ信号がドライビングトランジスタ３２１に入力されるとともにキャパシタ３２２に保持される（以下、これを〜値が書き込まれるという場合がある）。これにより、ドライビングトランジスタ３２１は駆動電流経路３２４に基準値に対応する駆動電流（ここでは０）を流し、それにより、発光素子３２３が基準値に応じた輝度で発光する（ここでは発光を停止する）。その後、基準値書き込み期間Ｄ１が終了すると、基準値のデータ信号のドライビングトランジスタ３２１への入力が停止されるが、このデータ信号の基準値に相当する電圧（黒の値に相当する電圧）がキャパシタ３２２に保持されているので、発光素子３２３は基準値に応じた輝度で発光し続ける（ここでは発光を停止し続ける）。
【００５０】
次いで、データ書き込み期間Ｄ２において画像信号の画素の輝度に対応する値のデータ信号がドライビングトランジスタ３２１に入力されるとともにキャパシタ３２２に保持される。これにより、ドライビングトランジスタ３２１は駆動電流経路３２４に画像信号の画素の輝度に対応する駆動電流を流し、それにより、発光素子３２３が当該画像信号の画素の輝度で発光する。その後、データ書き込み期間Ｄ２が終了すると、画像信号の画素の輝度に対応する値のデータ信号のドライビングトランジスタ３２１への入力が停止されるが、このデータ信号の当該画像信号の画素の輝度に対応する値に相当する電圧がキャパシタ３２２に保持されているので、発光素子３２３は当該画像信号の画素の輝度で発光し続ける。
【００５１】
つまり、選択された行の画素では、１フレーム期間において、基準値書き込み期間Ｄ１が開始した後データ書き込み期間Ｄ２が開始するまで基準値に応じた駆動電流が流れ（ここでは駆動電流が流れない）、残りの期間において画像信号の画素の輝度に応じた駆動電流が流れる。つまり、この残りの期間がいわゆる発光期間となる。そして、この行の選択は全ての行に対して順次行われ、かつ、隣り合う２つの行の走査信号の間では、基準値書き込み期間Ｄ１の開始時刻が、基準値書き込み期間Ｄ１とデータ書き込み期間Ｄ２との合計時間より少し長い所定時間Ｔ０だけずれている。それ故、画素マトリクス１０の全体では、選択された行の画素における基準値書き込み期間Ｄ１の開始からデータ書き込み期間Ｄ２の終了までの期間には、残りの全ての行の画素において画像信号の画素の輝度に応じた駆動電流が流れている。従って、１つの列に属する全ての画素に流れる駆動電流の合計値は、選択された画素の走査信号における基準値書き込み期間Ｄ１の開始からデータ書き込み期間Ｄ２の終了までの期間においては、当該選択された画素における、画像信号の画素の輝度に対応する駆動電流と基準値に対応する駆動電流との差分だけ変化する。この駆動電流の差分は、ドライビングトランジスタ３２１の特性（正確にはゲート電圧−ドレイン電流特性（Ｖｇｓ−Ｉｄ特性））に依存するので、この駆動電流の差分を検出することにより、選択された画素のドライビングトランジスタ３２１の特性を補償するためのデータを得ることができる。しかも、画像表示時には、画素マトリクス１０の全ての画素が選択されるので、全ての画素について個別にこのドライビングトランジスタ３２１の特性を補償するためのデータを得ることができる。
【００５２】
そこで、本実施の形態では、補正値演算部１５３は、電流測定素子２４−１〜２４−ｍで測定され、電流メモリ１４０に記憶される電流値のうち、ある行の走査信号における基準値書き込み期間Ｄ１の終了時刻とデータ書き込み期間Ｄ２の開始時刻との間の時刻における電流値と、当該ある行の走査信号におけるデータ書き込み期間Ｄ２の終了時刻と次の行の走査信号における基準値書き込み期間Ｄ１の開始時刻との間の時刻における電流値とを取得し、後者から前者を差し引くことにより、選択された画素における駆動電流の差分を算出する。なお、以下では、駆動電流の差分の算出対象である画素において基準値に対応する駆動電流が流れている場合における上記電流値（電流測定素子２４−１〜２４−ｍで測定され、電流メモリ１４０に記憶される電流値）を取得するタイミングを第１電流値取得タイミングといい、画像信号の画素の輝度に対応する駆動電流が流れている場合における上記電流値を取得する時刻を第２電流値取得タイミングという。ここでは、ＴＳ１が第１電流値取得タイミングであり、ＴＳ２が第２電流値取得タイミングである。
【００５３】
例えば、補正値演算部１５３は、第１行の画素について、第１行の走査信号における基準値書き込み期間Ｄ１の終了時刻ｔ２とデータ書き込み期間Ｄ２の開始時刻ｔ３との間の第１電流値取得タイミングＴＳ１おける電流値と、第１行の走査信号におけるデータ書き込み期間Ｄ２の終了時刻ｔ４と第２行の走査信号における基準値書き込み期間Ｄ１の開始時刻ｔ５との間の第２電流値取得タイミングＴＳ２における電流値とを取得する。この場合、第１電流値取得タイミングＴＳ１において、電流測定素子２４−１により測定される電流は、電流引出線２３−１に接続されたすべての画素Ｐ１１〜Ｐｎ１の発光素子３２３に流れる電流の和となり、その内訳は、第１行の画素Ｐ１１の発光素子３２３に流れる電流（基準値に対応する駆動電流（ここでは黒に対応する駆動電流、すなわち、ドライビングトランジスタ３２１のリーク電流））と、これ以外の画素の発光素子３２３に流れる電流（画像信号の画素の輝度に対応する駆動電流）となっている。第２電流値取得タイミングＴＳ２において、電流測定素子２４−１により測定される電流は、電流引出線２３−１に接続されたすべての画素Ｐ１１〜Ｐｎ１の発光素子３２３に流れる電流（画像信号の画素の輝度に対応する駆動電流）の和となっている。
【００５４】
ここで、第１電流値取得タイミングＴＳ１と第２電流値取得タイミングＴＳ２との間において、発光素子３２３に流れる駆動電流の値が変化したのは、第１行の画素のみであり、その他の行の画素の発光素子３２３に流れる駆動電流の値は変化していない。
【００５５】
電流測定素子２４−１を例に取ると、第１行の画素１１の発光素子３２３に流れる駆動電流のみが変化しており、その他の画素の発光素子３２３に流れる駆動電流は変化していない。よって、電流測定素子２４−１により第１電流値取得タイミングＴＳ１に測定された電流値をI（TS1）、第２電流値取得タイミングＴＳ２に測定された電流値をI（TS2）、第１電流値取得タイミングＴＳ１における画素Ｐ１１の発光素子３２３に流れる駆動電流の値をI_P11（reference）、第２電流値取得タイミングＴＳ２における画素Ｐ１１の発光素子３２３に流れる駆動電流の値をI_P11（IMAGE）、とすると、以下の式が成り立つ。
【００５６】
I（TS2）−I（TS1）＝I_P11（IMAGE）−I_P11（reference）・・・（１）
よって、基準値（ここでは黒の値）が書き込まれた際に流れる駆動電流を事前に測定しておくことで、画像信号の画素の輝度に対応するデータ信号の値（ここでは電圧値）をデータ線２１−１から供給したときの駆動電流の値I_P11（IMAGE）が判る。つまり、ドライビングトランジスタ３２１において、あるゲート電圧を加えたときのドレイン電流を知ることができる。ここで、基準値が書き込まれた際に流れる駆動電流の測定は、画像表示装置１７０の出荷前に行ってもよく、画像表示装置１７０出荷後において、画像表示を終了して電源をオフする際などに自動的に行ってもよい。この基準値に対応する駆動電流は、１つの行を順次選択し、選択された行の画素においてはその発光素子に基準値に対応する駆動電流を流すが、選択されない画素においてはその発光素子に駆動電流を流さない（予め黒の値のデータ信号を書き込んで置く）ようにして行う。
【００５７】
基準値は黒の値（輝度０）である必要はなく、任意の輝度（階調）でよい。ただし、基準値が高輝度（明るい階調）であると、画像表示の合間に明るい画面が光るというようなフリッカが発生してしまうので、低輝度（暗い階調）が好適である。
【００５８】
補正値演算部１５３は、（１）式のような計算を各電流測定素子２４−１〜２４−ｍで測定された電流値について行うことにより、第１行の全ての画素Ｐ１１〜Ｐ１ｍのドライビングトランジスタ３２１の、書き込まれたゲート電圧（データ信号の値）に対するドレイン電流の値を算出する。なお、この書き込まれたゲート電圧（データ信号の値）は上述の所定のメモリから読み出して用いる。
【００５９】
同様に、補正値演算部１５３は、第１電流値取得タイミングＴＳ３と第２電流値取得タイミングＴＳ４とにおける電流値を取得することで、第２行の全ての画素Ｐ２１〜Ｐ２ｍのドライビングトランジスタ３２１の、書き込まれたゲート電圧（データ信号の値）に対するドレイン電流の値を算出する。
【００６０】
また、同様に、補正値演算部１５３は、第１電流値取得タイミングＴＳ５と第２電流値取得タイミングＴＳ６とにおける電流値を取得することで、第３行の全ての画素Ｐ３１〜Ｐ３ｍのドライビングトランジスタ３２１の、書き込まれたゲート電圧（データ信号の値）に対するドレイン電流の値を算出する。
【００６１】
さらに、補正値演算部１５３は、複数のフレームに渡って、さまざまなデータ信号について、各電流測定素子２４−１〜２４−ｍで測定された電流値を取得し、（１）式のような計算を行うことで、各画素Ｐ１１〜Ｐｎｍにおいてドライビングトランジスタ３２１のゲート電圧−ドレイン電流特性を求める。
【００６２】
そして、補正値演算部１５３は、このドライビングトランジスタ３２１のゲート電圧−ドレイン電流特性を適宜な形式で表してメモリ１６０に保存する。
【００６３】
次に、データ信号の補正方法を説明する。
【００６４】
本実施の形態では、入力される画像信号の画素の輝度をデータ信号に変換する際に用いるドライビングトランジスタ３２１のゲート電圧−ドレイン電流特性を補正することによりデータ信号の値を補正する。
【００６５】
図５はドライビングトランジスタのソースとゲートとの間の電圧（以下、ゲート電圧という）の変化に対するドレイン電流の変化の特性（以下、ゲート電圧−ドレイン電流特性という）を示すグラフである。図５において、横軸はゲート電圧（Ｖｇｓ）表し、縦軸はドレイン電流（Ｉｄ）を表す。
【００６６】
各画素Ｐ１１〜Ｐｎｍのドライビングトランジスタ３２１について、上述のように算出したドレイン電流とこのとき書き込まれたゲート電圧とをゲート電圧−ドレイン電流平面にプロットすると、当該ドライビングトランジスタ３２１のゲート電圧−ドレイン電流特性が得られる。ここで、書き込まれたゲート電圧とは、入力される画像信号の画素の輝度に対応するゲート電圧（当該輝度を、各画素のドライビングトランジスタのゲート電圧−ドレイン電流特性を用いて変換してなるゲート電圧）である。
【００６７】
本実施の形態では、このゲート電圧−ドレイン電流特性を良く知られた以下の近似式（２）で表す。
【００６８】
Ｉｄ＝（Ｗ／２Ｌ）μＣｏｘ（Ｖｇｓ−Ｖｔ）＾２・・・（２）
ここで、Ｗはゲート幅であり、Ｌはゲート長であり、μはキャリア移動度であり、Ｃｏｘはゲート容量であり、Ｖｔは閾値電圧である。補正値演算部１５３はこの（２）式を上述の所定のメモリに記憶している。
【００６９】
そして、補正値演算部１５３は、同一の画素における前回の測定データ（ドレイン電流Ｉｄ１と書き込まれたゲート電圧Ｖｇｓ１）と、今回の測定データ（ドレイン電流Ｉｄ２と書き込まれたゲート電圧Ｖｇｓ２）とを（２）式に代入して、μとＶｔとを求め、これらをデータ信号の値の補正値として、その対応する画素と対応させて補正値メモリ１６０に記憶する。そして、新しくドレイン電流Ｉｄ及び書き込まれたゲート電圧Ｖｇｓが得られる度に、μ及びＶｔを算出して、メモリ１６０に記憶されているμ及びＶｔをこの新しく算出したμ及びＶｔに更新する。
【００７０】
次に、以上のように構成された画像表示装置の動作を簡単に説明する。
【００７１】
書き込み部１５２は、入力される画像信号をデータ信号に変換する。この際、補正値メモリ１６０から各画素のμとＶｔとを読み出し、このμと、Ｖｔと、入力される画像信号の当該画素の輝度で発光素子３２３を発光させるドレイン電流Ｉｄと、を（２）式に代入して、Ｖｇｓを求める。そして、このＶｇｓを当該画素のデータ信号の値とする。ここで、入力される画像信号の当該画素の輝度で発光素子３２３を発光させるドレイン電流Ｉｄは、発光素子３２３の所定の駆動電流−発光輝度特性から求められる。書き込み部１５２は、この発光素子３２３の所定の低駆動電流−発光輝度特性を上述の所定のメモリに記憶している。
【００７２】
このように、本実施の形態では、入力される画像信号の画素の輝度をデータ信号に変換する際に用いるドライビングトランジスタ３２１のゲート電圧−ドレイン電流特性そのものを補正することにより、データ信号の値が補正される。また、このドライビングトランジスタ３２１のゲート電圧−ドレイン電流特性の補正は、逐次かつ継続的に行われる。
【００７３】
書き込み部１５２は、この補正されたデータ信号をデータ線駆動回路１１０へ出力する。データ線駆動回路１１０は、入力されたデータ信号を各データ線２１−１〜２１−ｍに対応する信号に分割するとともにドライビングトランジスタ３２１を駆動するための電圧信号に変換し、各データ線２１−１〜２１−ｍに出力する。これに合わせて、走査線駆動回路１００は、走査線２０−１〜２０−ｎに、該走査線２０−１〜２０−ｎを順次選択するように走査信号を出力する。これにより、画素マトリクス１０に画像信号に応じた画像が表示される。この際、各画素Ｐ１１〜Ｐｎｍのドライビングトランジスタ３２１の特性の不均一（ばらつきや劣化）が補償され、各画素Ｐ１１〜Ｐｎｍの発光素子３２３に均一な駆動電流が流れる。その結果、ムラのない画像表示が行われる。また、各画素Ｐ１１〜Ｐｎｍにおいて、基準値が書き込まれ、これを利用して、補正値演算部１５３及び書き込み部１５２により、逐次、データ信号の補正が行われる。これにより、ムラのない画像表示を継続的に行うことができる。
【００７４】
次に変形例を説明する。
【００７５】
［変形例１］
本変形例は、画素Ｐ１１〜Ｐｎｍのスイッチトランジスタ３２０及びドライビングトランジスタ３２１における変形例である。
【００７６】
図６は本変形例の構成を示す回路図である。図６に示すように、スイッチトランジスタ３３０及びドライビングトランジスタ３３１がＮチャネル型のＴＦＴで構成されている。このような構成としても、図２の構成と同様の効果が得られる。
【００７７】
なお、スイッチトランジスタ及びドライビングトランジスタを互いにチャネル型の異なるＴＦＴで構成してもよい。製造プロセスを考えた場合、Ｐチャネル型とＮチャネル型の両方で構成するよりも、どちらか片方のみで構成する方が、製造コスト、タクトタイム、歩留まり等の観点から有効である。
【００７８】
［変形例２］
本変形例は、データ信号の値の補正値における変形例である。本変形例では、画素が変形例１のように構成されている。そして、Ｎチャネル型のドライビングトランジスタ３２１を構成するＴＦＴがアモルファスシリコンで構成されている。このようなＴＦＴにおいては、μは殆んど経時変化せず、Ｖｔが経時変化する。そこで、本変形例では、初期に測定したゲート電圧−ドレイン電流特性からμを算出し、これを固定値とする。そして、上述のようにして得られるドレイン電流Ｉｄと書き込まれたゲート電圧Ｖｇｓとを（２）に代入してＶｔを算出し、この算出したＶｔを、データ信号の値の補正値として、その対応する画素と対応させて補正値メモリ１６０に記憶する。そして、新しくドレイン電流Ｉｄ及び書き込まれたゲート電圧Ｖｇｓが得られる度に、Ｖｔを算出して、メモリ１６０に記憶されているＶｔをこの新しく算出したＶｔに更新する。このような構成によれば、補正値の算出を簡略化することができる。
【００７９】
［変形例３］
本変形例は、データ信号の値の補正方法の変形例である。上述の実施の形態では、画像信号をデータ信号に変換する際に用いる、ドライビングトランジスタのゲート電圧−ドレイン電流特性そのものを補正したが、本変形例では、規定（標準）のドライビングトランジスタのゲート電圧−ドレイン電流特性によって変換されたデータ信号（ゲート電圧）を補正する。具体的には、書き込み部１５２が、入力される画像信号の画素の輝度を、規定の（標準の）ドライビングトランジスタのゲート電圧−ドレイン電流特性を用いてデータ信号に変換する。一方、補正値演算部１５３は、本来各画素において流れるべきドレイン電流（規定のドライビングトランジスタのドレイン電流）に対する補正値演算部１５３で算出される各画素の実際のドレイン電流の偏差を相殺する、規定のドライビングトランジスタのゲート電圧の補正値を算出し、この補正値を入力画像信号の各画素の輝度と対応させたルックアップテーブルを作成してこれを補正値メモリ１６０に記憶する。そして、書き込み部１５２は、画像信号が入力されると、これを規定のドライビングトランジスタのゲート電圧−ドレイン電流特性を用いてデータ信号に変換する。そして、入力された画像信号の各画素の輝度に対応するゲート電圧の補正値を補正値メモリ１６０のルックアップテーブルから読み出し、これらの補正値でデータ信号の値（ドライビングトランジスタのゲート電圧値）を補正する。
【００８０】
このような構成としても上記と同様の効果を得ることができる。
【００８１】
（実施の形態２）
図７は本発明の実施の形態２に係る画像表示装置におけるデータ信号の補正に用いる電流値の取得タイミングを示すタイミングチャートである。
【００８２】
図７に示すように、本実施の形態は、電流測定素子で測定された電流値の補正値演算部１５３による取得タイミングが実施形態１と異なる。その他の点は実施の形態１と同じである。本実施の形態では、選択された画素において基準値に対応する駆動電流が流れている場合における電流測定素子２４−１〜２４−ｍで測定される電流値を取得する第１電流値取得タイミングＴＳ１，ＴＳ３，ＴＳ５・・・が基準値書き込み期間Ｄ１内に位置（存在）し、画像信号の画素の輝度に対応する駆動電流が流れている場合における電流測定素子２４−１〜２４−ｍで測定される電流値を取得する第２電流値取得タイミングＴＳ２，ＴＳ４，ＴＳ６・・・がデータ書き込み期間Ｄ２内に位置する。このような構成としても図４の構成と同様の効果が得られる。
【００８３】
つまり、補正用の電流値取得のタイミングは、選択された画素における駆動電流が一定値に落ち着いた後であれば、基準値書き込み期間Ｄ１及びデータ書き込み期間Ｄ２中であってもよい。
【００８４】
（実施の形態３）
図８は本発明の実施の形態３に係る画像表示装置におけるデータ信号の補正に用いる電流値の取得タイミングを示すタイミングチャートである。
【００８５】
本実施の形態では、走査線駆動回路１００は、１フレーム期間に、第１行〜第ｎ行の走査線に対し、基準値書き込み期間Ｄ１及びデータ書き込み期間Ｄ２を有し、その基準値書き込み期間Ｄ１の開始時刻が直前の行の走査信号の基準値書き込み期間Ｄ１の開始時刻より所定時間Ｔ０だけ遅れた走査信号を出力する。所定時間ＴＯは基準値書き込み期間Ｄ１とデータ書き込み期間Ｄ２との合計時間より少し長い時間である。これらの点は、実施の形態と同じである。しかし、本実施の形態では、その行の走査信号のデータ書き込み期間Ｄ２が次の行の走査信号の基準値書き込み期間Ｄ１と２行後の行の走査信号の基準値書き込み期間Ｄ１との間に位置している。
【００８６】
以下、理解を容易にするために、第１行乃至第３行を例に取って説明する。
【００８７】
第１行の走査信号のデータ書き込み期間Ｄ２（時刻ｔ７〜時刻ｔ８）は、次の行である第２行の走査信号の基準値書き込み期間Ｄ１（時刻ｔ５〜時刻ｔ６）と２行後の行である第３行の走査信号の基準値書き込み期間Ｄ１（時刻ｔ９〜時刻ｔ１０）との間に位置している。
【００８８】
これにより、図８の上段に示すように、第１行の走査信号の基準値書き込み期間Ｄ１が開始すると、図８の中段に示すように、基準値ＲＦ１が第１行の画素に書き込まれ、図８の下段に示すように、第１行の画素の発光素子は基準値ＲＦ１に対応する輝度で発光し、この発光を継続する。つまり、第１行の画素には基準値ＲＦ１に対応する駆動電流が流れ、これが継続する。その後、第１行の走査信号の基準値書き込み期間Ｄ１の開始（時刻ｔ１）から所定時間Ｔ０が経過すると、図８の上段に示すように、第２行の走査信号の基準値書き込み期間Ｄ１が開始し（時刻ｔ５）、図８の中段に示すように、基準値ＲＦ２が第２行の画素に書き込まれ、図８の下段に示すように、第２行の画素の発光素子は基準値ＲＦ２に対応する輝度で発光し、この発光を継続する。つまり、第２行の画素には基準値ＲＦ２に対応する駆動電流が流れ、これが継続する。その後、第２行の走査信号の基準値書き込み期間Ｄ１が終了する（時刻ｔ６）と、少し時間を置いて、図８の上段に示すように、第１行の走査信号のデータ書き込み期間Ｄ２が開始する（時刻ｔ７）。すると、図８の中段に示すように、画像信号の画素の輝度に対応する値ＤＴ１が第１行の画素に書き込まれ、図８の下段に示すように、第１行の画素の発光素子は画像信号の画素の輝度に対応する輝度で発光する。つまり、第１行の画素には画像信号の画素の輝度に対応する駆動電流が流れる。その後、第２行の走査信号の基準値書き込み期間Ｄ１の開始（時刻ｔ５）から所定時間Ｔ０が経過すると、図８の上段に示すように、第３行の走査信号の基準値書き込み期間Ｄ１が開始し（時刻ｔ９）、図８の中段に示すように、基準値ＲＦ３が第３行の画素に書き込まれ、図８の下段に示すように、第３行の画素の発光素子は基準値ＲＦ３に対応する輝度で発光し、この発光を継続する。つまり、第３行の画素には基準値ＲＦ３に対応する駆動電流が流れ、これが継続する。これ以降は、上記と同様の動作が第ｎ行のデータ書き込み期間Ｄ２が終了するまで繰り返される。
【００８９】
これにより、画素マトリクス１０では、第２行の走査信号の基準値書き込み期間Ｄ１が開始してから第１行の走査信号のデータ書き込み期間Ｄ２が開始するまでの期間（時刻ｔ５〜時刻ｔ７の期間）にはこれら２つの行の画素では基準値に対応する駆動電流が流れ、これら以外の行の画素には画像信号の画素の輝度に対応する駆動電流が流れる。そして、第１行の走査信号のデータ書き込み期間Ｄ２が開始する（時刻ｔ７）と、第２行の画素では基準値に対応する駆動電流が流れ、これ以外の行の画素には画像信号の画素の輝度に対応する駆動電流が流れる。そして、第３行の走査信号の基準値書き込み期間Ｄ１が開始する（時刻ｔ９）と、第２行及び第３行の２つの行の画素では基準値に対応する駆動電流が流れ、これら以外の行の画素には画像信号の画素の輝度に対応する駆動電流が流れる。従って、画素マトリクス１０では、第２行の走査信号の基準値書き込み期間Ｄ１が開始してから第３行の走査信号の基準値書き込み期間Ｄ１が開始するまでの期間（時刻ｔ５〜時刻ｔ９の期間）には、第１行の画素のみにおいて、これらを流れる駆動電流の値が基準値に対応する値から画像信号の画素の輝度に対応する値に変化する。
【００９０】
つまり、これを一般化すると、画素マトリクス１０では、ある行の次の行の走査信号の基準値書き込み期間Ｄ１が開始してからある行の２行後の行の走査信号の基準値書き込み期間Ｄ１が開始するまでの期間には、当該ある行の画素のみにおいて、これらを流れる駆動電流の値が基準値に対応する値から画像信号の画素の輝度に対応する値に変化する。
【００９１】
そこで、本実施の形態では、第１電流値取得タイミングＴＳ１，ＴＳ３，ＴＳ５・・・と第２電流値取得タイミングＴＳ２，ＴＳ４，ＴＳ６・・・とが、ある行の次の行の走査信号の基準値書き込み期間Ｄ１が開始してからある行の２行後の行の走査信号の基準値書き込み期間Ｄ１が開始するまでの期間において、当該ある行の走査信号のデータ書き込み期間Ｄ２の開始時刻を挟むようにして位置するように設定されている。これにより、当該ある行の画素における画像信号の画素の輝度に対応する駆動電流と基準値に対応する駆動電流との差分を適切に検出することができる。本実施の形態では、例えば、第１電流値取得タイミングＴＳ１が、第２行の走査信号の基準値書き込み期間Ｄ１の終了から第１行の走査信号のデータ書き込み期間Ｄ２の開始までの期間（時刻ｔ６〜時刻ｔ７の期間）に設定され、第２電流値取得タイミングＴＳ２が、第１行の走査信号のデータ書き込み期間Ｄ２の終了から第３行の走査信号の基準値書き込み期間Ｄ１の開始までの期間（時刻ｔ８〜時刻ｔ９の期間）に設定されている。
【００９２】
以上に例示したように、本発明においては、第１電流値取得タイミング及び第２電流値取得タイミングを適宜選択して基準値書き込み期間Ｄ１とデータ書き込み期間Ｄ２との時間差を任意に設定することができる。
【００９３】
（実施の形態４）
図９は本発明の実施の形態４に係る画像表示装置におけるデータ信号の補正に用いる電流値の取得タイミングを示すタイミングチャートである。なお、以下では隣り合う複数の行を行群と呼ぶが、この行群は隣り合う複数の行の走査線からなる走査線群と対応している。それ故、以下では、説明を簡略化するために、走査線群の概念に代えて行群の概念を使用して説明する。
【００９４】
本実施の形態では、走査線駆動回路１００は、図９の上段に示すように、１フレーム期間に、第１行〜第ｎ行の走査線に対し、基準値書き込み期間Ｄ１及びデータ書き込み期間Ｄ２を有し、隣り合う複数（ここでは２）の行（以下、行群という）毎に、この行群に対応する走査信号群の基準値書き込み期間Ｄ１の開始時刻が直前の行群に対応する走査信号群の基準値書き込み期間Ｄ１の開始時刻より所定時間Ｔ２だけ遅れた走査信号を出力する。所定時間Ｔ２は１つの行群を構成する全ての行（ここでは２行）の走査信号の基準値書き込み期間Ｄ１及びデータ書き込み期間Ｄ２の合計時間より少し長い時間である。そして、１つの行群に対応する走査信号群においては、基準値書き込み期間Ｄ１の開始時刻が、行の順に、基準値書き込み期間Ｄ１より少し長い所定時間Ｔ１ずつ遅れている。
【００９５】
以下、理解を容易にするために、第１行乃至第４行を例に取って説明する。
【００９６】
ここでは、隣り合う第１行と第２行とが当該行群を構成し、隣り合う第３行と第４行とが次の行群を構成している。そして、次の行群に対応する走査信号群の基準値書き込み期間Ｄ１の開始時刻ｔ９が当該行群の基準値書き込み期間Ｄ１の開始時刻ｔ１より所定時間Ｔ２だけ遅れた走査信号を出力する。所定時間Ｔ２は１つの行群を構成する第１行及び第２行の走査線信号の基準値書き込み期間Ｄ１とデータ書き込み期間Ｄ２との合計時間より少し長い時間（時刻ｔ１〜時刻ｔ９の時間）である。そして、１つの行群として当該行群を例に取ると、当該行群においては、第２行の走査信号の基準値書き込み期間Ｄ１の開始時刻ｔ３が、第１行の基準値書き込み期間Ｄ１の開始時刻ｔ１から、基準値書き込み期間Ｄ１より少し長い所定時間Ｔ１遅れている。これは、次の行群を構成する第３行及び第４行の走査信号群においても同様である。
【００９７】
これを時系列で見ると、まず、当該行群の最初の行である第１行の走査信号が基準値書き込み期間Ｄ１となり、次いで、当該行群の最後の行である第２行の走査信号が基準値書き込み期間Ｄ１となり、次いで、当該行群の最初の行である第１行の走査信号がデータ書き込み期間Ｄ２となり、次いで、当該行群の最後の行である第２行の走査信号がデータ書き込み期間Ｄ２となる。次いで、次の行群の最初の行である第３行の走査信号が基準値書き込み期間Ｄ１となり、次いで、次の行群の最後の行である第４行の走査信号が基準値書き込み期間Ｄ１となり、次いで、次の行群の最初の行である第３行の走査信号がデータ書き込み期間Ｄ２となり、次いで、次の行群の最後の行である第４行の走査信号がデータ書き込み期間Ｄ２となる。以降、１フレーム期間において、第ｎ行まで同様の動作が繰り返される。
【００９８】
一方、データ線駆動回路１１０は、これらの走査線信号にタイミングを合わせて図９の中段に示すようなデータ信号を出力する。このデータ信号は、まず、当該行群の最初の行である第１行の走査信号の基準値書き込み期間Ｄ１に基準値ＲＦ１となり、次いで、当該行群の最後の行である第２行の走査信号の基準値書き込み期間Ｄ１に基準値ＲＦ２となり、次いで、当該行群の最初の行である第１行の走査信号のデータ書き込み期間Ｄ２に画像信号の画素の輝度に対応する値ＤＴ１となり、次いで、当該行群の最後の行である第２行の走査信号のデータ書き込み期間Ｄ２に画像信号の画素の輝度に対応する値ＤＴ２となる。次いで、次の行群の最初の行である第３行の走査信号の基準値書き込み期間Ｄ１に基準値ＲＦ３となり、次いで、次の行群の最後の行である第４行の走査信号の基準値書き込み期間Ｄ１に基準値ＲＦ４となり、次いで、次の行群の最初の行である第３行の走査信号のデータ書き込み期間Ｄ２に画像信号の画素の輝度に対応する値ＤＴ３となり、次いで、次の行群の最後の行である第４行の走査信号のデータ書き込み期間Ｄ２に画像信号の画素の輝度に対応する値ＤＴ４となる。以降、１フレーム期間において、第ｎ行まで同様の動作が繰り返される。なお、基準値ＲＦ１〜ＲＦＮは全て同じ値（ここでは黒の値（輝度０））である。
【００９９】
これにより、図９の上段に示すように、第１行の走査信号の基準値書き込み期間Ｄ１が開始する（時刻ｔ１）と、図９の中段に示すように、基準値ＲＦ１が第１行の画素に書き込まれ、図９の下段に示すように、第１行の画素の発光素子は基準値ＲＦ１に対応する輝度で発光し、この発光を継続する。つまり、第１行の画素には基準値ＲＦ１に対応する駆動電流が流れ、これが継続する。その後、第２行の走査信号の基準値書き込み期間Ｄ１が開始する（時刻ｔ３）と、図９の中段に示すように、基準値ＲＦ２が第２行の画素に書き込まれ、図９の下段に示すように、第２行の画素の発光素子は基準値ＲＦ２に対応する輝度で発光し、この発光を継続する。つまり、第１行の画素には基準値ＲＦ２に対応する駆動電流が流れ、これが継続する。その後、図９の上段に示すように、第１行の走査信号のデータ書き込み期間Ｄ２が開始する（時刻ｔ５）と、図９の中段に示すように、画像信号の画素の輝度に対応する値ＤＴ１が第１行の画素に書き込まれ、図９の下段に示すように、第１行の画素の発光素子は画像信号の画素の輝度に対応する値ＤＴ１に対応する輝度で発光し、この発光を継続する。つまり、第１行の画素には画像信号の画素の輝度に対応する値ＤＴ１に対応する駆動電流が流れ、これが継続する。その後、図９の上段に示すように、第２行の走査信号のデータ書き込み期間Ｄ２が開始する（時刻ｔ７）と、図９の中段に示すように、画像信号の画素の輝度に対応する値ＤＴ２が第２行の画素に書き込まれ、図９の下段に示すように、第２行の画素の発光素子は画像信号の画素の輝度に対応する値ＤＴ２に対応する輝度で発光し、この発光を継続する。つまり、第２行の画素には画像信号の画素の輝度に対応する値ＤＴ２に対応する駆動電流が流れ、これが継続する。
【０１００】
その後、図９の上段に示すように、第３行の走査信号の基準値書き込み期間Ｄ１が開始する（時刻ｔ９）と、図９の中段に示すように、基準値ＲＦ３が第３行の画素に書き込まれ、図９の下段に示すように、第３行の画素の発光素子は基準値ＲＦ３に対応する輝度で発光し、この発光を継続する。つまり、第３行の画素には基準値ＲＦ３に対応する駆動電流が流れ、これが継続する。その後、第４行の走査信号の基準値書き込み期間Ｄ１が開始する（時刻ｔ１１）と、図９の中段に示すように、基準値ＲＦ４が第４行の画素に書き込まれ、図９の下段に示すように、第４行の画素の発光素子は基準値ＲＦ４に対応する輝度で発光し、この発光を継続する。つまり、第４行の画素には基準値ＲＦ４に対応する駆動電流が流れ、これが継続する。その後、図９の上段に示すように、第３行の走査信号のデータ書き込み期間Ｄ２が開始する（時刻ｔ１３）と、図９の中段に示すように、画像信号の画素の輝度に対応する値ＤＴ３が第３行の画素に書き込まれ、図９の下段に示すように、第３行の画素の発光素子は画像信号の画素の輝度に対応する値ＤＴ３に対応する輝度で発光し、この発光を継続する。つまり、第３行の画素には画像信号の画素の輝度に対応する値ＤＴ３に対応する駆動電流が流れ、これが継続する。その後、図９の上段に示すように、第４行の走査信号のデータ書き込み期間Ｄ２が開始する（時刻ｔ１５）と、図９の中段に示すように、画像信号の画素の輝度に対応する値ＤＴ４が第４行の画素に書き込まれ、図９の下段に示すように、第４行の画素の発光素子は画像信号の画素の輝度に対応する値ＤＴ４に対応する輝度で発光し、この発光を継続する。つまり、第２行の画素には画像信号の画素の輝度に対応する値ＤＴ４に対応する駆動電流が流れ、これが継続する。以降、１フレーム期間において、第ｎ行まで同様の動作が繰り返される。
【０１０１】
これにより、画素マトリクス１０では、第２行の走査信号の基準値書き込み期間Ｄ１が開始してから第１行の走査信号のデータ書き込み期間Ｄ２が開始するまでの期間（時刻ｔ３〜時刻ｔ５の期間）にはこれら２つの行の画素では基準値に対応する駆動電流が流れ、これら以外の行の画素には画像信号の画素の輝度に対応する駆動電流が流れる。そして、第１行の走査信号のデータ書き込み期間Ｄ２が開始する（時刻ｔ５）と、第２行の画素では基準値に対応する駆動電流が流れ、これ以外の行の画素には画像信号の画素の輝度に対応する駆動電流が流れる。そして、第２行の走査信号のデータ書き込み期間Ｄ２が開始する（時刻ｔ７）と、全ての画素で画像信号の画素の輝度に対応する駆動電流が流れる。そして、第３行の走査信号の基準値書き込み期間Ｄ１が開始すると、次の行群において、上記と同様の動作が繰り返される。
【０１０２】
従って、画素マトリクス１０では、第２行の走査信号の基準値書き込み期間Ｄ１が開始してから第２行の走査信号のデータ書き込み期間Ｄ２が開始するまでの期間（時刻ｔ３〜時刻ｔ７の期間）には、当該行群の第１行の画素のみにおいて、これらを流れる駆動電流の値が基準値に対応する値から画像信号の画素の輝度に対応する値に変化する。そして、第２行の走査信号の基準値書き込み期間Ｄ１が開始してから第３行の走査信号の基準値書き込み期間Ｄ１が開始するまでの期間（時刻ｔ３〜時刻ｔ９の期間）には、当該行群すなわち第１行及び第２行の画素のみにおいて、これらを流れる駆動電流の値が基準値に対応する値から画像信号の画素の輝度に対応する値に変化する。
【０１０３】
つまり、これを一般化すると、画素マトリクス１０では、ある行群の最後の行の走査信号の基準値書き込み期間Ｄ１が開始してから当該ある行群の２番目の行（ここでは第２行）の走査信号のデータ書き込み期間Ｄ２が開始するまでの期間には、当該ある行群の最初の行の画素のみにおいて、これらを流れる駆動電流の値が基準値に対応する値から画像信号の画素の輝度に対応する値に変化する。そして、ある行群の最後の行の走査信号の基準値書き込み期間Ｄ１が開始してから次の行群の最初の行の走査信号の基準値書き込み期間Ｄ１が開始するまでの期間には、当該ある行群を構成する全ての行の画素のみにおいて、これらを流れる駆動電流の値が基準値に対応する値から画像信号の画素の輝度に対応する値に変化する。
【０１０４】
そこで、本実施の形態では、第１電流値取得タイミング（例えばＴＳ１）がある行群の最後の行（例えば第２行）の走査信号の基準値書き込み期間Ｄ１が開始してから当該ある行群の最初の行（例えば第１行）の走査信号の基準値書き込み期間Ｄ１が開始するまでの期間（時刻ｔ３〜時刻ｔ５）に位置するよう設定され、第２電流値取得タイミング（例えばＴＳ２）がある行群の最後の行（例えば第２行）の走査信号のデータ書き込み期間Ｄ２が開始してから次の行群の最初の行（例えば第３行）の走査信号の基準値書き込み期間Ｄ１が開始するまでの期間（時刻ｔ７〜時刻ｔ９）に位置するよう設定されている。これにより、当該ある行群を構成する全ての行の画素における画像信号の画素の輝度に対応する駆動電流と基準値に対応する駆動電流との差分を適切に検出することができる。
【０１０５】
ところで、本実施の形態では、第２電流値取得タイミングで取得する電流値と第１電流値取得タイミングで取得する電流値との差分は、１つの行群を構成する全ての行の画素における駆動電流の変化の合計値を表しているので、これらを各行の画素における駆動電流の変化に分ける必要がある。そこで、本実施の形態では、補正値演算部１５３が以下の計算を行う。
【０１０６】
ここでは、第１行と第２行とで構成される行群の場合を例示する。また、基準値は黒の値（輝度０）である。
【０１０７】
第１行の画素Ｐ１ｙ（ｙは任意の列の順番を表す）に書き込まれたデータ信号の画像信号の画素の輝度に対応する値（ゲート電圧）をＶｇ１で表し、このとき当該画素Ｐ１ｙに実際に流れた駆動電流（単独で測定不可）をＩｄ１で表し、第２行の画素Ｐ２ｙに書き込まれたデータ信号の画像信号の画素の輝度に対応する値をＶｇ２で表し、このとき当該画素Ｐ２ｙに実際に流れた駆動電流（単独で測定不可）をＩｄ２で表し、Ｉｄ１とＩｄ２との和をＩで表す。この電流Ｉは、第２電流値取得タイミングで取得する電流値と第１電流値取得タイミングで取得する電流値との差分であり、補正値演算部１５３で実施の形態１で述べた方法で算出されるものである。
【０１０８】
また、その時点における画素Ｐｎ１の駆動トランジスタ３２１のパラメータであるキャリア移動度μ及び閾値電圧Ｖｔをそれぞれμ１及びＶｔ１で表し、その時点における画素Ｐｎ２の駆動トランジスタ３２１のパラメータであるキャリア移動度μ及び閾値電圧Ｖｔをそれぞれμ２及びＶｔ２で表す。また、これらのパラメータが大幅に変化しておらず、これらの画素の駆動トランジスタ３２１のゲート電圧−ドレイン電流特性が大幅に劣化していないと仮定する。
【０１０９】
そうすると、第１行の画素Ｐｎ１及び第２行の画素Ｐｎ２にそれぞれＶｇ１及びＶｇ２が書き込まれたときに、第１行の画素Ｐｎ１及び第２行の画素Ｐｎ２にそれぞれ流れると想定されている駆動電流をそれぞれＩｄ１’及びＩｄ２’で表すと、
Ｉｄ１’＝（Ｗ／２Ｌ）μ１Ｃｏｘ（Ｖｇｓ１−Ｖｔ１）＾２
Ｉｄ２’＝（Ｗ／２Ｌ）μ２Ｃｏｘ（Ｖｇｓ２−Ｖｔ２）＾２
となる。
【０１１０】
従って、想定されている駆動電流と実際に流れた駆動電流との差
（Ｉｄ１−Ｉｄ１’）＾２＋（Ｉｄ２−Ｉｄ２’）＾２
が最小となるようにＩをＩｄ１とＩｄ２とに分配することにより、補正値演算部１５３で算出されるＩから、Ｉｄ１とＩｄ２とを算出することができる。ここで、想定されている駆動電流と実際に流れた駆動電流の差は、Vt、μの変化によるものである。
【０１１１】
なお、上記では、基準値が黒の値である場合を説明したが、Ｉｄ１とＩｄ２との和である電流Ｉは、第２電流値取得タイミングで取得する電流値と第１電流値取得タイミングで取得する電流値との差分であるので、基準値が所定の輝度（階調）である場合にも、全く上記と同様にして、Ｉｄ１とＩｄ２とを算出することができる。１つの行群が３以上の行で構成されている場合も、上記と同様にして、Ｉｄ１とＩｄ２とを算出することができる。
【０１１２】
また、上記では、１つの行群に対応する走査信号群において、基準値書き込み期間Ｄ１を、行の順に異ならせたが、１つの行群に対応する走査信号群において、基準値書き込み期間Ｄ１を同時となるように設定してもよい。
【０１１３】
以上に例示したように、本発明においては、必ずしも１つの行の画素毎に駆動電流の差分を検出する必要はなく、複数の行の画素毎に駆動電流の差分を検出してもよい。
【０１１４】
（実施の形態５）
図１０は本発明の実施の形態５に係る画像表示装置におけるデータ信号の補正に用いる電流値の取得タイミングを示すタイミングチャートである。
【０１１５】
図１０の最上段には、垂直同期信号の波形図が示されている。この垂直同期信号の波形図において縦軸は信号レベルを表している。この垂直同期信号がＬＯＷレベルとなる期間（時刻ｔ１〜時刻ｔ４、時刻ｔ１１〜時刻ｔ１４・・・）は、垂直ブランキング期間であり、この垂直ブランキング期間には、全ての行の走査信号においてデータ書き込み期間Ｄ１は存在しない。つまり、垂直ブランキング期間には、画素マトリクス１０の全ての画素において、画像信号の画素の輝度に対応する値のデータ信号は書き込まれない。また、ある垂直ブランキング期間の開始から次の垂直ブランキング期間の開始までが１フレーム期間となる。
【０１１６】
本実施の形態では、データ信号における画像信号の画素の輝度に対応する値（ＤＴ１，ＤＴ２，・・・）は、第１行〜第ｎ行の画素に対し、従来の画像表示装置と同様に、行の順に、順次、書き込まれる。その一方、データ信号における基準値（ＲＦ１，ＲＦ２・・・）が、垂直ブランキング期間において書き込まれる。この基準値は、隣り合う複数の行（ここでは２行）からなる行群に対応する走査信号群毎に、行群の順に、１フレーム期間ずつ遅らせて書き込まれる。１つの行群に対応する走査信号群においては、基準値書き込み期間Ｄ１は同時となるように設定されている。
【０１１７】
そして、ある行群の最初の行の画素に対応する第１電流値取得タイミングが当該最初の行の走査信号における基準値書き込み期間Ｄ１の開始からデータ書き込み期間Ｄ２の開始までの期間に位置するよう設定され、当該最初の行の画素に対応する第２電流値取得タイミングが当該最初の行の走査信号におけるデータ書き込み期間Ｄ２の開始から当該ある行群の次の行のデータ書き込み期間Ｄ２の開始までの期間に位置するよう設定されている。第１行及び第２行を例に取ると、第１行と第２行とからなる行群の第１行の画素に対応する第１電流値取得タイミングＴＳ１が第１行の走査信号における基準値書き込み期間Ｄ１の開始からデータ書き込み期間Ｄ２の開始までの期間（時刻Ｔ２〜時刻ｔ６の期間）に位置するよう設定され、第１行の画素に対応する第２電流値取得タイミングＴＳ２が第１行の走査信号におけるデータ書き込み期間Ｄ２の開始から第２行のデータ書き込み期間Ｄ２の開始までの期間（時刻ｔ６〜時刻８の期間）に位置するよう設定されている。これにより、第１電流値取得タイミングＴＳ１から第２電流値取得タイミングＴＳ２までの間においては、画素マトリクス１０において、ある行群の最初の行（第１行）の画素の駆動電流のみが、基準値に対応する電流値から画像信号の画素の輝度に対応する電流値へと変化する。従って、ある行群の最初の行（第１行）の画素について、画像信号の画素の輝度に対応する駆動電流と基準値に対応する駆動電流との差分を検出することができる。
【０１１８】
また、ある行群の次の行の画素に対応する第１電流値取得タイミングが上述の最初の行の画素に対応する第２電流値取得タイミングと同じに設定されている。つまり、最初の行の画素に対応する第２電流値取得タイミングが次の行の画素に対応する第１電流値取得タイミングを兼ねている。そして、当該次の行の画素に対応する第２電流値取得タイミングが当該次の行の走査信号におけるデータ書き込み期間Ｄ２の開始からある行群の次の行群の最初の行の走査信号におけるデータ書き込み期間Ｄ２の開始までの期間に位置するよう設定されている。第１行乃至第３行を例に取ると、第１行と第２行とからなる行群の第２行の画素に対応する第１電流値取得タイミングが第１の行の画素に対応する第２電流値取得タイミングと同じに設定されている。つまり、第１行の画素に対応する第２電流値取得タイミングＴＳ２が第２行の画素に対応する第１電流値取得タイミングを兼ねている。そして、第２行の画素に対応する第２電流値取得タイミングＴＳ３が第２行の走査信号におけるデータ書き込み期間Ｄ２の開始から第３行と第４行とからなる行群の第３行の走査信号におけるデータ書き込み期間Ｄ２の開始までの期間（時刻ｔ８〜ｔ１０）に位置するよう設定されている。これにより、第１電流値取得タイミングＴＳ２から第２電流値取得タイミングＴＳ３までの間においては、画素マトリクス１０において、ある行群の次の行（第２行）の画素の駆動電流のみが、基準値に対応する電流値から画像信号の画素の輝度に対応する電流値へと変化する。従って、ある行群の次の行（第２行）の画素について、画像信号の画素の輝度に対応する駆動電流と基準値に対応する駆動電流との差分を検出することができる。
【０１１９】
このように、本実施形態は、基準値の書き込みが垂直ブランキング期間に行われる点と、行群に対応する走査信号群の基準値の書き込みが複数のフレーム期間に渡って行われる点とを除いて、概ね実施の形態１と同じである。
【０１２０】
従って、このような構成としても実施の形態１と同様の効果が得られる。さらに、このような構成とすると、いわゆるデータ書き込み期間を実施の形態４よりも長くすることができる。
【０１２１】
なお、上記の説明では、１つの行群が２行で構成されていたが、１つの行群が１行（つまり１行毎）又は３以上の行で構成されていてもよい。
【０１２２】
（実施の形態１乃至５のまとめ）
以上の実施の形態１乃至５においては、本発明を特徴付ける、駆動能動素子（ドライビングトランジスタ３２１）の特性補正に関する構成の一例を個別に説明したが、ここでは、これらを普遍化して、この駆動能動素子の特性補正に関する構成の要件を説明する。なお、以下では、実施の形態４で述べたように、説明を簡略化するために、走査線群の概念に代えて行群の概念を使用して説明する。
【０１２３】
この要件は、画像信号の画素の輝度に対応する値及び基準値を書き込む要件（以下、書き込み要件という）と、ライン（ここでは列）毎の発光素子の駆動電流の合計電流の取得に関する要件（以下、電流取得要件という）とに大別される。
【０１２４】
書き込み要件は、以下の３つの要件を含む。
【０１２５】
ａ．画像信号の画素の輝度に対応する値は、ある順序（以下、データ書き込み順序という）に従って、行単位で、データ書き込み期間が行同士間で重複しないようにして、全ての行に属する画素に書き込まれる。
【０１２６】
この要件は、従来の画像表示装置においても要求される要件である。このようにしないと、各列において、画像信号の画素の輝度に対応する値を意図した画素に書き込むことができないからである。
【０１２７】
ｂ．基準値は、各行群において、画像信号の画素の輝度に対応する値より前に書き込まれる。
【０１２８】
ｃ．基準値は、データ書き込み順序において隣り合う（相前後する）１以上の行からなる行群毎に、データ書き込み順序に従って、書き込まれる。基準値書き込み期間は、同じ行群に属する行同士間では重複しても良いが、異なる行群に属する行同士間では重複しない。
【０１２９】
ｂ及びｃの要件が満たされることによって、画素マトリクスにおいて、各行群の行に属する画素のみにおいて発光素子の駆動電流が基準値に対応する値から画像信号の画素の輝度に対応する値に変化し、当該行群以外の行群の行に属する画素では画像信号の画素の輝度に対応する値の発光素子の駆動電流が流れている（かつ変化しない）期間（以下、駆動電流差分検出可能期間という）が必ず存在することになる。
【０１３０】
電流取得要件は、以下の通りである。
【０１３１】
ｄ．ある行群のデータ書き込み順序における最後の行の基準値書き込み期間の開始から当該行群のデータ書き込み順序における最初の行のデータ書き込み期間の開始までの期間におけるある列の発光素子の駆動電流の合計電流の値と、当該行群のデータ書き込み順序における最初の行のデータ書き込み期間の開始から当該行群のデータ書き込み順序における次の行群のデータ書き込み順序における最初の行の基準値書き込み期間までの期間における当該列の発光素子の駆動電流の合計電流の値との差分が算出される。
【０１３２】
これにより、少なくとも、各行群の全行の画素毎の、画像信号の画素の輝度に対応する値に対応する駆動電流と基準値に対応する駆動電流との差分が算出される。この差分を、例えば、行群を構成する各行の画素における画像信号の画素の輝度に対応する値を用いて分配することにより、行群を構成する各行の画素における画像信号の画素の輝度に対応する値に対応する駆動電流と基準値に対応する駆動電流との差分を算出することができる。
【０１３３】
このように、本発明は、以上の書き込み要件及び電流取得要件を満たすよう構成することにより、各行の画素における画像信号の画素の輝度に対応する値に対応する駆動電流と基準値に対応する駆動電流との差分を算出することができ、ひいては、この算出した差分に基づいて駆動能動素子の特性の不均一に起因する輝度ムラを補正できる。
【０１３４】
なお、実施の形態１乃至５では、画像信号の画素の輝度に対応する値は、行の順序に従って（降順に）書き込まれたが、これに限らず、例えば、インターレース方式のように、奇数行の後に偶数行に書き込みむようにしても良い。
【０１３５】
（実施の形態６）
図１１は、本発明の実施形態６に係る画像表示装置の電気的な構成を示すブロック図である。
【０１３６】
図１１に示すように、本実施の形態では、画像表示装置１７０が、第１電流引出電源７０４と第２電流引出電源７０５との２つの電流引出電源を備えている。第１電流引出電源７０４の出力端子には電流測定素子７０３を通じて第１共通電流引出線２３−０Ａが接続され、第２電流引出電源７０５の出力端子には第２共通電流引出線２３−０Ｂが接続されている。第１電流引出電源７０４と第２電流引出電源７０５とは、それぞれ、同じ電位を第１共通電流引出線２３−０Ａ及び第２電流引出線２３−０Ｂに出力する。そして、スイッチ回路７００が、ｍ本の電流引出線２３−１〜２３−ｍを、第１共通電流引出線２３−０Ａと第２共通電流引出線２３−０Ｂとにそれぞれ選択的に接続する。この選択的接続は、制御部１５１の制御により行われる。第１共通電流引出線２３−０Ａの下流端部には、電流測定素子７０３が接続されている。この電流測定素子７０３は、実施の形態１の電流測定素子２４−１〜２４−ｍと同様に構成されている。電流測定素子７０３で測定された電流値は補正値演算部１５３に送られ、補正値演算部１５３はこれを補正値メモリ１６０の所定の領域に電流引出線２３−１〜２３−ｍ（又は画素マトリクス１０の列）と対応させて記憶する。各電流引出線２３−１〜２３−ｍに対応する電流値は、逐次、新しい電流値で更新されるようにして記憶される。
【０１３７】
スイッチ回路７００は、制御部１５１の制御により、ｍ本の電流引出線２３−１〜２３−ｍを、該ｍ本の電流引出線２３−１〜２３−ｍのうちの１つの電流引出線を第１共通電流引出線２３−０Ａに接続し、残りの電流引出線を第２共通電流引出線２３−０Ｂに接続するようにして、順次、選択的に第１共通電流引出線２３−０Ａ及び第１共通電流引出線２３−０Ａに接続する。
【０１３８】
これにより、ｍ本の電流引出線２３−１〜２３−ｍの電流値が、順次、単独で、電流測定素子７０３によって測定され、補正値演算部１５３を介して補正値メモリ１６０に記憶される。補正値演算部１５３は、補正値メモリ１６０に一旦記憶された電流値を読み出して、実施の形態１で説明したドライビングトランジスタ３２１のゲート電圧−ドレイン電流特性の補正値（μ、Ｖｔ）を算出する。これ以外の点は実施の形態１と同様である。
【０１３９】
なお、電流を測定していない（スイッチ回路７００により第１共通電流引出線２３−０Ａに接続されていない）電流引出線に接続されている画素には基準値のデータ信号を書き込まないようにしてもよい。
【０１４０】
このように構成された本実施の形態によれば、電流測定素子の数を１つにすることができる。
【０１４１】
（実施の形態７）
図１２は本発明の実施の形態７に係る画像表示装置の電気的な構成を示すブロック図である。本実施の形態は、電流測定素子の配設位置の変形例を示すものである。本実施の形態は、実施の形態１と基本的な構成は同じであるが、以下の点が相違する。
【０１４２】
図１２に示すように、本実施の形態では、ｍ個の電流測定素子２４−１〜２４−ｍが、それぞれ、ｍ本の電流供給線２２−１〜２２−ｍに設けられている。また、電流引出線は形成されておらず、代わりに、全ての画素Ｐ１１〜Ｐｎｍの発光素子３２３（図２参照）が１つの共通カソード５０を共有するよう形成されている。そして、この共通カソード５０が図示されない電流引出電源１３０（図１参照）に接続されている。
【０１４３】
これ以外の点は実施の形態１と同様である。
【０１４４】
このような構成とすると、電流引出線を省略できるので、画像表示装置の構成を簡素化することができる。
【産業上の利用可能性】
【０１４５】
本発明の画像表示装置及びその駆動方法は、画像表示の最中に選択された発光素子の駆動電流を測定して駆動能動素子の特性の不均一に起因する輝度ムラを補正できる電流駆動型の発光素子を用いた画像表示装置及びその駆動方法等として有用である。
【図面の簡単な説明】
【０１４６】
【図１】本発明の実施形態１に係る画像表示装置の電気的な構成を示すブロック図である。
【図２】図１の画像表示装置の画素回路の構成を示す回路図である。
【図３】図１の画像表示装置の電流測定素子の構成を示す回路図である。
【図４】データ信号の補正に用いる電流値の取得タイミングを示すタイミングチャートである。
【図５】ドライビングトランジスタのゲート電圧−ドレイン電流特性を示すグラフである。
【図６】画素のスイッチトランジスタ及びドライビングトランジスタにおける変形例の構成を示す回路図である。
【図７】本発明の実施の形態２に係る画像表示装置におけるデータ信号の補正に用いる電流値の取得タイミングを示すタイミングチャートである。
【図８】本発明の実施の形態３に係る画像表示装置におけるデータ信号の補正に用いる電流値の取得タイミングを示すタイミングチャートである。
【図９】本発明の実施の形態４に係る画像表示装置におけるデータ信号の補正に用いる電流値の取得タイミングを示すタイミングチャートである。
【図１０】本発明の実施の形態５に係る画像表示装置におけるデータ信号の補正に用いる電流値の取得タイミングを示すタイミングチャートである。
【図１１】本発明の実施形態６に係る画像表示装置の電気的な構成を示すブロック図である。
【図１２】本発明の実施形態７に係る画像表示装置の電気的な構成を示すブロック図である。
【符号の説明】
【０１４７】
１０  画素マトリクス
２０−１〜２０−ｎ  走査線
２１−１〜２１−ｍ  データ線
２２−０  共通電流供給線
２２−１〜２２−ｍ  電流供給線
２３−０  共通電流引出線
２３−０Ａ  第１共通電流引出線
２３−０Ｂ  第２共通電流引出線
２３−１〜２３−ｍ  電流引出線
２４−１〜２４−ｍ，７０３  電流測定素子
３０  制御器
４０  電圧センサ
４１  Ａ／Ｄ変換器
５０  共通カソード
１００  走査線駆動回路
１１０  データ線駆動回路
１２０  電流供給電源
１３０  電流引出電源
１４０  電流メモリ
１５０  演算部
１５１  制御部
１５２  書き込み部
１５３  補正値演算部
１６０  補正値メモリ
１７０  画像表示装置
３００  画素回路
３２０，３３０  スイッチングトランジスタ
３２１，３３１  ドライビングトランジスタ
３２２  キャパシタ
３２３  発光素子
３２４  駆動電流経路
７００  スイッチ回路
７０１  ラッチ
７０２  シフトレジスタ
７０４  第１電流引出電源
７０５  第２電流引出電源
Ｄ１  基準値書き込み期間
Ｄ２  データ書き込み期間
Ｐ１１〜Ｐｎｍ  画素
Ｒ  抵抗
Ｔ０，Ｔ１，Ｔ２  所定期間
【図１】
2009053382.tif 000003
【図２】
2009053382.tif 000004
【図３】
2009053382.tif 000005
【図４】
2009053382.tif 000006
【図５】
2009053382.tif 000007
【図６】
2009053382.tif 000008
【図７】
2009053382.tif 000009
【図８】
2009053382.tif 000010
【図９】
2009053382.tif 000011
【図１０】
2009053382.tif 000012
【図１１】
2009053382.tif 000013
【図１２】
2009053382.tif 000014